(57)【要約】【課題】機器の試験を遠隔で行わせることはできない。【解決手段】各々が機器コントローラを有し、機器コントローラによって運転される複数の機器と、ネットワークを介して複数の機器に接続され、複数の機器の運転を管理する管理装置とを備え、管理装置は、複数の機器のうち試験対象機器の機器コントローラに試験指令を送信し、試験指令に応じて機器コントローラが実施した試験の試験結果を機器コントローラから受信する機器管理システムが提供される。【選択図】図１
2018106610.tif 000002
【特許請求の範囲】
【請求項１】
各々が機器コントローラを有し、前記機器コントローラによって運転される複数の機器と、
ネットワークを介して前記複数の機器に接続され、前記複数の機器の運転を管理する管理装置と
を備え、
前記管理装置は、
前記複数の機器のうち試験対象機器の前記機器コントローラに試験指令を送信し、
前記試験指令に応じて前記機器コントローラが実施した試験の試験結果を前記機器コントローラから受信する
機器管理システム。
【請求項２】
前記管理装置は、
前記複数の機器の運転状況を管理し、
前記複数の機器のうち運転していない機器を前記試験対象機器として選択する
請求項１に記載の機器管理システム。
【請求項３】
前記管理装置は、
前記ネットワークに機器が新たに接続されたか否かを検出し、
新たに機器が接続されたことに応じて、当該機器を前記試験対象機器として選択する
請求項２に記載の機器管理システム。
【請求項４】
前記複数の機器のうちの少なくとも１つは、通常運転モードおよび試験モードを有し、
前記管理装置は、前記試験モードを有する前記試験対象機器に対して、前記試験モードへの遷移指令を含む前記試験指令を送信して前記試験モードへ遷移させる
請求項１から３のいずれか一項に記載の機器管理システム。
【請求項５】
前記機器コントローラは、試験を実施する試験手順を記憶し、
前記試験指令を受け取ったことに応じて、前記試験手順に従って前記試験対象機器の試験を実施する
請求項１から４のいずれか一項に記載の機器管理システム。
【請求項６】
前記管理装置は、
前記複数の機器のうち少なくとも１つの機器に対する前記試験手順を管理し、
当該少なくとも１つの機器の前記機器コントローラに前記試験手順を送信する
請求項５に記載の機器管理システム。
【請求項７】
前記管理装置は、
前記複数の機器を有する設備で実施すべき複数の試験項目を含む試験リストを管理し、
前記複数の試験項目のうち未実施の試験項目を選択し、
前記複数の機器のうち、選択した前記試験項目による試験の対象となる少なくとも１つの機器を前記試験対象機器として選択する
請求項１から６のいずれか一項に記載の機器管理システム。
【請求項８】
前記管理装置は、前記試験対象機器の前記機器コントローラから正常を示す前記試験結果を受け取ったことに応じて、選択した前記試験項目に対応付けて試験が正常終了したことを記録する請求項７に記載の機器管理システム。
【請求項９】
前記試験リストは、前記複数の試験項目の少なくとも１つに対応付けて、先に正常終了すべき他の試験項目を登録可能であり、
前記管理装置は、第１の前記試験項目の前記試験結果に応じて、前記第１の試験項目を先に正常終了すべき旨が登録された第２の前記試験項目の試験を実施するか否かを判定する
請求項７または８に記載の機器管理システム。
【請求項１０】
前記管理装置は、前記複数の機器のうち第１の機器を試験する前記第１の試験項目の前記試験結果に応じて、前記第１の機器に依存して運転する第２の機器を試験する前記第２の試験項目の試験を実施するか否かを決定する請求項９に記載の機器管理システム。
【請求項１１】
前記試験リストは、前記複数の試験項目を実施すべき順序関係を登録可能であり、
前記管理装置は、前記順序関係に基づいて前記複数の試験項目の実施順序を決定する
請求項７から１０のいずれか一項に記載の機器管理システム。
【請求項１２】
前記管理装置は、前記試験結果に基づいて、前記複数の試験項目の実施順序を変更する請求項１１に記載の機器管理システム。
【請求項１３】
前記管理装置は、前記複数の試験項目のうち未実施の試験項目を、当該試験項目において試験対象となる全ての機器が前記ネットワークに接続されていることを必要条件として選択する請求項７から１２のいずれか一項に記載の機器管理システム。
【請求項１４】
前記管理装置は、一の機器の異常を検出したことに応じて、前記複数の試験項目のうち当該一の機器を試験する試験項目の少なくとも一部を再実施するように前記試験リストを設定する請求項７から１３のいずれか一項に記載の機器管理システム。
【請求項１５】
前記試験リストは、前記複数の試験項目の少なくとも１つに対応付けて、当該試験項目を実施する前にマニュアルで行うべき操作を登録可能であり、
前記管理装置は、第３の前記試験項目の試験を実施する場合に、前記第３の試験項目に対応付けて登録された、マニュアルで行うべき操作を提示する
請求項７から１４のいずれか一項に記載の機器管理システム。
【請求項１６】
前記試験リストは、前記複数の試験項目の少なくとも１つに対応付けて、当該試験項目をマニュアルで行う手順を登録可能であり、
前記管理装置は、第４の前記試験項目の試験を実施する場合に、前記第４の試験項目に対応付けて登録された、マニュアルで行う手順を提示する
請求項７から１５のいずれか一項に記載の機器管理システム。
【請求項１７】
前記管理装置は、前記第４の試験項目の試験が正常終了したか否かのマニュアル入力を受け取って、前記第４の試験項目に対応付けて試験結果を記録する請求項１６に記載の機器管理システム。
【請求項１８】
各々が機器コントローラを有し、前記機器コントローラによって運転される複数の機器の運転を管理する管理装置であって、
前記複数の機器が接続されたネットワークとの間で通信する通信部と、
前記通信部を介して、前記複数の機器のうち試験対象機器の前記機器コントローラに試験指令を送信すると共に、前記試験指令に応じて前記機器コントローラが実施した試験の試験結果を前記機器コントローラから受信する試験制御部と、
を備える管理装置。
【請求項１９】
各々が機器コントローラを有し、前記機器コントローラによって運転される複数の機器の運転を管理する管理装置のコンピュータを、
前記複数の機器が接続されたネットワークとの間で通信する通信部と、
前記通信部を介して、前記複数の機器のうち試験対象機器の前記機器コントローラに試験指令を送信すると共に、前記試験指令に応じて前記機器コントローラが実施した試験の試験結果を前記機器コントローラから受信する試験制御部、
として機能させるプログラム。
【発明の詳細な説明】
【技術分野】
【０００１】
本発明は、機器管理システム、管理装置およびプログラムに関する。
【背景技術】
【０００２】
従来、プラント、工事現場などに設置された複数の機器から遠隔でデータを収集するための種々の技術が提案されている（例えば、特許文献１参照）。
特許文献１  特開２００４−２９４３９５号公報
特許文献２  特開２０１２−２０９８４５号公報
【発明の概要】
【発明が解決しようとする課題】
【０００３】
しかしながら、それぞれが機器コントローラによって運転される各種の機器に試験を遠隔で行わせることはできない。
【課題を解決するための手段】
【０００４】
本発明の第１の態様においては、各々が機器コントローラを有し、機器コントローラによって運転される複数の機器と、ネットワークを介して複数の機器に接続され、複数の機器の運転を管理する管理装置とを備え、管理装置は、複数の機器のうち試験対象機器の機器コントローラに試験指令を送信し、試験指令に応じて機器コントローラが実施した試験の試験結果を機器コントローラから受信する機器管理システムが提供される。
【０００５】
本発明の第２の態様においては、各々が機器コントローラを有し、機器コントローラによって運転される複数の機器の運転を管理する管理装置であって、複数の機器が接続されたネットワークとの間で通信する通信部と、通信部を介して、複数の機器のうち試験対象機器の機器コントローラに試験指令を送信すると共に、試験指令に応じて機器コントローラが実施した試験の試験結果を機器コントローラから受信する試験制御部と、を備える管理装置が提供される。
【０００６】
本発明の第３の態様においては、各々が機器コントローラを有し、機器コントローラによって運転される複数の機器の運転を管理する管理装置のコンピュータを、複数の機器が接続されたネットワークとの間で通信する通信部と、通信部を介して、複数の機器のうち試験対象機器の機器コントローラに試験指令を送信すると共に、試験指令に応じて機器コントローラが実施した試験の試験結果を機器コントローラから受信する試験制御部、として機能させるプログラムが提供される。
【０００７】
上記の発明の概要は、本発明の特徴の全てを列挙したものではない。これらの特徴群のサブコンビネーションも発明となりうる。
【図面の簡単な説明】
【０００８】
【図１】本実施形態に係る機器管理システムを示す。
【図２】設備に設けられた機器群の一例を示す。
【図３】試験リストの一例を示す。
【図４】機器管理システムの試験動作を示す。
【図５】本実施形態に係るコンピュータの構成の一例を示す。
【発明を実施するための形態】
【０００９】
以下、発明の実施の形態を通じて本発明を説明するが、以下の実施形態は特許請求の範囲にかかる発明を限定するものではない。また、実施形態の中で説明されている特徴の組み合わせの全てが発明の解決手段に必須であるとは限らない。
【００１０】
図１は、本実施形態に係る機器管理システム１を示す。機器管理システム１は、ネットワーク１０（一例としてインターネットまたは専用回線）を介して互いに接続された１または複数の機器群２と、管理装置３とを備える。
【００１１】
複数の機器群２は、それぞれ複数の機器２０を含む。複数の機器群２のそれぞれは、１つの設備２００に配置された複数の機器２０を含んでよい。ここで、設備２００は、複数の機器２０が配置されるものであり、データセンター、プラント、店舗、物流センター、ビル、マンション、生産ラインなどであってよいが、その更に細分化された部分（例えばプラント内の建物、建物内のフロア、部屋など）であってもよい。
【００１２】
複数の機器２０は、独立に電源につながれて制御される装置である。複数の機器２０のうちの少なくとも１つは、通常運転を行う通常運転モードと、自装置の動作試験を行うための試験モードを有してよい。複数の機器２０は、各々が電力状態センサ２１および機器コントローラ２２を有する。
【００１３】
電力状態センサ２１は、機器２０の電力状態を測定する。電力状態は、消費電力、発電電力、電流値および電圧値の少なくとも１つであってよい。電力状態センサ２１は、後述の機器コントローラ２２を介して測定値を管理装置３に送信してよい。なお、電力状態センサ２１は、スマートメータであってよく、直接的に管理装置３に測定値を送信してもよい。また、電力状態センサ２１は機器２０に具備されずに機器２０に対して外部から接続されてもよい。
【００１４】
機器コントローラ２２は、機器２０の運転を制御する。例えば、機器コントローラ２２は、機器２０の通常運転の制御を行ってよい。また、通常運転モードおよび試験モードを有する機器２０の機器コントローラ２２は、機器コントローラ２２はこれらのモードを切り換え、モードに応じた制御を行ってよい。一例として、機器コントローラ２２は、試験モードにおける試験を実施するための試験手順を記憶してよい。
【００１５】
また、機器コントローラ２２は、ネットワーク１０を介して管理装置３と通信可能であってよい。例えば、機器コントローラ２２は、電力状態センサ２１から測定値を取得して管理装置３に送信してよい。なお、複数の機器２０の機器コントローラ２２のうち、１つの機器コントローラ２２のみがマスタとして機能して管理装置３と直接的に通信を行い、他の機器２０の機器コントローラ２２はスレーブとして機能してマスタの機器コントローラ２２を介して管理装置３と通信を行ってもよい。
【００１６】
管理装置３は、ネットワーク１０を介して各機器群２における複数の機器２０に接続され、それらの運転を管理する。例えば、管理装置３は複数の機器２０にそれぞれ接続されてもよいし、マスタとして機能する機器コントローラ２２を有する機器２０に接続されることで、この機器２０を介して他の機器２０に接続されてもよい。本実施形態では一例として管理装置３は、複数の機器２０の電力制御を行うエネルギーマネジメントシステムであってよく、一例としてクラウドサーバであってよい。管理装置３は、通信部３１および制御部３２を備える。
【００１７】
通信部３１は、ネットワーク１０との間で通信する。
制御部３２は、複数の機器２０の電力制御を行うと共に、動作試験を行わせる。制御部３２は、電力監視部３２１、表示制御部３２２、電力制御部３２３および試験制御部３２４を有する。
【００１８】
電力監視部３２１は、複数の機器２０の電力状態を監視して、異常の有無を検知する。電力監視部３２１は、電力状態センサ２１から受信した測定値を用いて異常の有無を検知し、測定値と対応付けてデータベース（図示せず）に記憶させてよい。また、電力監視部３２１は、異常の有無を電力制御部３２３に供給してよい。
【００１９】
表示制御部３２２は、電力監視部３２１による監視結果、および、試験制御部３２４による試験結果を表示装置（図示せず）に出力する。また、表示制御部３２２は、電力監視部３２１および試験制御部３２４により異常が検知された場合に、その内容を出力してよい。これにより、作業員は機器２０が故障する前に異常状態を把握して電力状態の変更を行うことができる。
【００２０】
電力制御部３２３は、省エネルギー化を実現するべく、電力監視部３２１による監視結果に基づいて複数の機器２０を電力制御して運転状況を管理する。例えば、電力制御部３２３は、機器２０または設備２００毎にエネルギーパフォーマンス指標（ＥｎＰＩ）を算出し、予め設定したエネルギーベースライン（ＥｎＢ）と比較することで電力供給を制御してよい。また、電力制御部３２３は、受電電力を常時監視して、受電電力が基準値を超えないようにするデマンド制御を行ってよい。一例として、電力制御部３２３は、設備２００の受電電力が基準値を超えることが推定される場合に、作業員に対して警告をしてもよいし、運転スケジュールの変更を作業員に促してもよいし、設備２００内の少なくとも１部の機器２０の出力を落としてもよいし電源を切ってもよい。これに代えて、電力制御部３２３は、受電電力の監視結果から導出される、基準期間（例えば１日、１週間など）内での受電電力の変動パターンを参照し、受電電力が基準値を超えることが推定されるタイミングで、作業員に対する警告を表示制御部３２２に出力させてもよい。また、電力制御部３２３は、各機器２０または各設備２００での電力の需要予測、需給バランスを演算して表示制御部３２２に出力させてもよい。受電電力の基準値は、設備２００と電力会社との間の契約電力であってよい。
【００２１】
試験制御部３２４は、複数の機器２０に動作試験を行わせる。例えば、試験制御部３２４は、複数の機器２０のうち試験対象の機器（試験対象機器とも称する）の機器コントローラ２２に対し、試験の実施を指示する試験指令を送信する。一例として、試験制御部３２４は、複数の機器２０のうち試験モードを有する試験対象機器に対して試験モードへの遷移指令を含む試験指令を送信することで、試験対象機器に試験モードへ遷移させて試験を実施させてよい。試験制御部３２４は、通信部３１を介して試験指令を送信してよい。
【００２２】
また、試験制御部３２４は、試験指令に応じて機器コントローラ２２が実施した試験の試験結果（一例として試験により電力状態センサで測定された電力状態の値）を機器コントローラ２２から受信する。試験制御部３２４は、通信部３１を介して試験結果を受信してよい。
【００２３】
また、試験制御部３２４は、複数の機器２０を有する設備２００で実施すべき複数の試験項目を含む試験リスト３２４０を管理してよい。例えば、試験制御部３２４は、試験制御部３２４が変更し得る状態で管理装置３の内部または外部に試験リスト３２４０を保持させてよい。試験リスト３２４０については、図３を用いて詳細を後述する。
【００２４】
また、試験制御部３２４は、複数の機器２０のうち少なくとも１つの機器２０に行わせる試験の手順を管理し、当該機器２０の機器コントローラ２２に、当該少なくとも１つの機器２０に対する試験手順を送信してよい。これにより、同種の複数の機器２０の試験手順を管理装置３で一元管理することができる。
【００２５】
以上の機器管理システム１によれば、ネットワーク１０を介して複数の機器２０に接続される管理装置３が試験対象機器の機器コントローラ２２に試験指令を送信し、機器コントローラ２２から試験結果を受信するので、複数の機器に対して遠隔かつ自動で試験を行わせ、試験結果の解析を行うことができる。従って、試験に要する時間を短縮することができるため、機器２０のメンテナンス時間、設備２００の新設から運用開始までの時間などを短縮することができる。
【００２６】
図２は、設備２００に設けられた機器群２の一例を示す。本実施形態では一例として、機器群２は、データセンター（例えばコンテナ型のインターネットデータセンター）である設備２００に配置された複数の機器２０を有する。これらの機器２０は一例として、１または複数のサーバ２０（１）、１または複数の空調装置２０（２）、受配電装置２０（３）、１または複数のＵＰＳ装置２０（４）、１または複数のＡＣ／ＤＣコンバータ２０（５）、１または複数のＤＣ−ＵＰＳ装置２０（６）、１または複数の自家発電装置２０（７）、および、１または複数の付加装置２０（８）であってよい。なお、この図では各機器２０の電力状態センサ２１および機器コントローラ２２の図示を省略している。
【００２７】
１または複数のサーバ２０（１）は、図示しないクライアントからの要求に対してサービスを提供するコンピュータである。例えばサーバ２０（１）はラックサーバであってよい。また、サーバ２０（１）は直流給電方式のサーバであるが、交流給電方式であってもよい。本実施形態では一例として、１つのサーバ２０（１）の機器コントローラ２２はマスタとして機能し、機器群２における他の機器２０の機器コントローラ２２と管理装置３との通信を仲介してよい。
【００２８】
１または複数の空調装置２０（２）は、設備２００内の温度、湿度、空気清浄度などの調整を行う装置である。本実施形態では一例として、機器群２は複数の空調装置２０（２）を有しており、このうち一の空調装置２０（２）はベース空調を行い、他の空調装置２０（２）は局所空調を行ってよい。
【００２９】
受配電装置２０（３）は、商用電源２０００から電力を受けて他の機器２０（本実施形態では一例としてＵＰＳ装置２０（４）、空調装置２０（２）および付加装置２０（８）など）にそれぞれ供給する装置である。例えば、受配電装置２０（３）は、保護リレー、コンタクタおよびブレーカの少なくとも１つを含んでよい。受配電装置２０（３）は、これに加えて／代えて、ＡＣ／ＡＣコンバータを備えてよく、入力される電力の電圧、周波数を変換してもよい。
【００３０】
１または複数のＵＰＳ装置２０（４）は、無停電電源装置である。例えば、ＵＰＳ装置２０（４）は、定常時には商用電源２０００からの交流電力を直流電力に整流して一部を内部のバッテリに蓄電しつつ、残りを交流電力に再変換して負荷側に供給してよい。また、ＵＰＳ装置２０（４）は、商用電源２０００からの受電停止時には内部のバッテリからの直流電力を交流電力に変換して負荷側に供給してよい。例えば、ＵＰＳ装置２０（４）は、交流電力をＡＣ／ＤＣコンバータ２０（５）に供給してよい。
【００３１】
また、ＵＰＳ装置２０（４）は、内部のバッテリからの直流電力を用いてパワーアシストを行ってよい。例えば、商用電源２０００から受電する交流電力が周波数変動する場合には電力効率が低下することから、ＵＰＳ装置２０（４）は、商用電源２０００から受電する交流電力を、バッテリから出力される直流電力で補って出力してもよい。また、ＵＰＳ装置２０（４）は、負荷が一時的に変動する場合にも、商用電源２０００から受電する交流電力を、バッテリから出力される直流電力で補って出力してもよい。
【００３２】
１または複数のＡＣ／ＤＣコンバータ２０（５）は、それぞれ対応するＵＰＳ装置２０（４）から供給される交流電力を直流電力に変換して負荷側に供給する変換器である。例えば、１または複数のＡＣ／ＤＣコンバータ２０（５）からの直流電力は集約されてサーバ２０（１）に供給されてもよいし、集約されずに別々のラックのサーバ２０（１）に供給されてもよい。なお、ＵＰＳ装置２０（４）が直流電力を負荷側に供給する場合、またはサーバ２０（１）が交流給電方式である場合には、ＡＣ／ＤＣコンバータ２０（５）は機器群２に具備されなくてよい。
【００３３】
１または複数のＤＣ−ＵＰＳ装置２０（６）は、直流電力を供給する無停電電源装置である。例えば、ＤＣ−ＵＰＳ装置２０（６）は、定常時には自家発電装置２０（７）から供給される直流電流を内部のバッテリに蓄電しつつ、残りを負荷側に供給してよい。また、ＤＣ−ＵＰＳ装置２０（６）は、商用電源２０００からの受電停止時には内部のバッテリからの直流電力を負荷側に供給してよい。例えば、ＤＣ−ＵＰＳ装置２０（６）は、直流電力をサーバ２０（１）に供給してよい。ＤＣ−ＵＰＳ装置２０（６）は、直流電圧を変換するＤＣ／ＤＣコンバータ２０３を有してよい。なお、サーバ２０（１）が交流給電方式である場合には、ＤＣ−ＵＰＳ装置２０（６）の出力側にはＤＣ／ＡＣコンバータが接続されてよい。
【００３４】
ＤＣ−ＵＰＳ装置２０（６）は、ＵＰＳ装置２０（４）と同様にして、内部のバッテリからの直流電力を用いてパワーアシストを行ってよい。ＤＣ−ＵＰＳ装置２０（６）がパワーアシストを行う場合には、ＵＰＳ装置２０（４）はパワーアシストを行わなくてもよい。
【００３５】
１または複数の自家発電装置２０（７）は、電力を発生して負荷側に供給する装置である。例えば、自家発電装置２０（７）は直流電力を発生してＤＣ−ＵＰＳ装置２０（６）に供給してよい。自家発電装置２０（７）は、太陽光発電装置および燃料電池などの少なくとも１つであってよい。
【００３６】
１または複数の付加装置２０（８）は、設備２００に付加的に具備される装置である。例えば付加装置２０（８）は、火災予兆センサ、スプリンクラー装置などの火災対策機器であってもよいし、カード認証装置、指紋認証装置などの情報セキュリティ機器などであってもよい。また、付加装置２０（８）は、設備２００内を冷却すべく設備２００の外壁に対して散水する散水ポンプであってもよい。
【００３７】
図３は、試験制御部３２４により管理される試験リスト３２４０の一例を示す。
【００３８】
試験リスト３２４０は、設備２００で実施すべき試験項目を設備２００毎に含んでよい。なお、各項目の試験は、自動試験、半自動試験、およびマニュアル試験の何れであってもよい。自動試験は、作業員の作業を必要とすることなく管理装置３からの制御により自動的に試験を開始・完了させることができる試験であってよい。半自動試験は、試験の準備から完了までの間に、各種の設定作業、設定の確認作業、および／または、試験結果の確認・入力作業など、試験の一部のみについて手動の作業を必要とする試験であってよい。マニュアル試験は、試験の準備から試験結果の確認、入力まで手動の作業を必要とする試験であってよい。
【００３９】
本実施形態では一例として、試験リスト３２４０は、図２の機器群２が配置された１つの設備２００で実施すべき複数の試験項目として、複数の機器単体試験（１），（２）…、データ収集試験、ＰＯＤ試験・入出力試験、付加装置試験、空調装置制御動作試験、および、１または複数の総合試験をこの順に含む。
【００４０】
複数の機器単体試験は、単一の機器２０の動作試験である。本実施形態では、機器単体試験（１），（２）…が機器２０の種類ごとに行われる。例えば、機器単体試験（１）は受配電装置２０（３）の動作試験であってよく、機器単体試験（２）はＵＰＳ装置２０（４）の動作試験であってよく、機器単体試験（３）は空調装置２０（２）の動作試験であってよい。ここで、試験対象機器２０が受配電装置２０（３）である機器単体試験（１）は、保護リレーおよびブレーカの連動動作の試験を含むシーケンス試験であってよい。なお、各機器単体試験は、機器コントローラ２２により自機内で行われるセルフテストであってよい。機器単体試験は、機器２０を動作させた場合の電力状態の試験であってよく、試験対象機器が正常であると判断し得る範囲内に電力状態の測定値が収まる場合に正常終了し、収まらない場合に異常終了してよい。機器単体試験は、自動試験であってもよいし半自動試験であってもよい。
【００４１】
データ収集試験は、管理装置３による複数の機器２０からのデータ受信の動作試験である。例えば、データ収集試験は、管理装置３が各機器２０からデータを受信した場合に正常終了し、少なくとも１つの機器２０からデータを受信しない場合に異常終了してよい。データ収集試験は自動試験であってよい。
【００４２】
ＰＯＤ試験は、設備２００内の各機器２０を操作するためのＰＯＤ（Ｐｒｏｇｒａｍａｂｌｅ  Ｏｐｅｒａｔｉｏｎ  Ｄｉｓｐｌａｙ）端末の動作試験である。例えば、ＰＯＤ試験は、ＰＯＤ端末を用いて各機器２０が操作される場合に正常終了し、操作されない場合に異常終了してよい。入出力試験は、サーバ２０（１）およびクライアント（図示せず）の間でのデータ入出力の動作試験である。入出力試験は、データ入出力が行われた場合に正常終了し、行われない場合に異常終了してよい。ＰＯＤ試験および入出力試験は、半自動試験であってもよいし、マニュアル試験であってもよい。
【００４３】
付加装置試験は、装置２００に設けられる付加装置２０（８）（一例として火災対策機器、情報セキュリティ機器）の動作試験である。付加装置試験は、付加装置２０（８）が正常に動作する場合に正常終了し、正常に動作しない場合に異常終了してよい。付加装置試験は、半自動試験であってもよいし、マニュアル試験であってもよい。
【００４４】
空調装置制御動作試験は、空調装置２０（２）による温度および／または湿度の調整についての動作試験である。例えば、空調装置制御動作試験は、空調装置２０（２）の省エネ機能についての動作試験であってよい。一例として、空調装置制御試験は、ベース空調を行う一の空調装置２０（２）と、局所空調を行う他の空調装置２０（２）との連携動作の試験であってよい。空調装置制御動作試験は、空調装置２０（２）が省エネ機能を発揮するよう動作する場合に正常終了し、動作しない場合に異常終了してよい。空調装置制御動作試験は、自動試験、半自動試験およびマニュアル試験の何れであってもよい。
【００４５】
総合試験は、複数の機器２０（例えば同一種類の複数の機器２０または複数種類の機器２０）により行われる動作試験である。
【００４６】
一例として、総合試験は、ＵＰＳ装置２０（４）および／またはＤＣ−ＵＰＳ装置２０（６）が受配電装置２０（３）からの供給電力および／またはサーバ２０（１）の消費電力に応じて行うパワーアシストの動作、または、アシストに用いられる電力レベルを確認する試験であってよい。パワーアシストの動作試験は、正常にパワーアシスト動作が行われる場合、または、設定されたレベルの通りにパワーアシストが行われる場合に正常終了し、正常にパワーアシスト動作が行われない場合、または、設定されたレベルの通りにパワーアシストが行われない場合に異常終了してよい。また、パワーアシストの動作試験は、アシストに用いる電力レベル等の選択を必要とする半自動試験であってもよいし、電力レベル等のマニュアル設定を必要とするマニュアル試験であってもよい。
【００４７】
また、別の例として、総合試験は、サーバ２０（１）に電力を供給する複数の機器２０、例えば受配電装置２０（３）、自家発電装置２０（７）、ＵＰＳ装置２０（４）およびＤＣ−ＵＰＳ２０（６）の間で出力電流のバランスが取れているか確認する試験であってよい。また、総合試験は、サーバラック単位での入出力電圧、例えば各ＡＣ／ＤＣコンバータ２０（５）からラックへの出力電圧、および、ラック内の複数のサーバ２０（１）への入力電圧が正常範囲であるか確認する試験であってもよい。サーバ２０（１）への入力電圧の正常範囲は、一例として約２００Ｖであってよい。これらの電力状態の確認試験は、各試験対象機器が正常であると判断し得る範囲内にそれぞれの電力状態の測定値が収まる場合に正常終了し、少なくとも１つの測定値が収まらない場合に異常終了してよい。電力状態の確認試験は、自動試験であってもよいし、半自動試験であってもよい。
【００４８】
以上のような総合試験は、例えば、サーバ２０（１）に電力を供給する各機器２０の電力状態を測定することで実施されてよい。
【００４９】
なお、試験リスト３２４０は、複数の試験項目の少なくとも１つに対応付けて、先に正常終了すべき他の試験項目（前提試験項目とも称する）を登録可能であってよい。例えば、第１の機器２０に依存して第２の機器２０が運転する場合には、第２の機器２０の試験項目より先に正常終了すべき前提試験項目として、第１の機器２０についての試験項目が登録されてよい。本実施形態では一例として、受配電装置２０（３）の機器単体試験（１）よりも下位の各試験に対しては、受配電装置２０（３）の機器単体試験（１）が前提試験項目として登録されてよい。また、データ収集試験および付加装置試験に対しては、当該試験よりも試験リスト３２４０において上位の各試験が前提試験項目として登録されてよい。また、ＰＯＤ試験・入出力試験および空調装置制御動作試験に対しては、前提試験項目として、データ収集試験（別言すればデータ収集試験までの各試験）が登録されてよい。また、総合試験に対しては、前提試験項目として、付加装置試験を除いた上位の各試験が登録されてよい。
【００５０】
また、試験リスト３２４０は、実施すべき試験項目の順序関係が登録可能であってよい。例えば、実施すべき順序関係（一例として機器単体試験（１）よりも機器単体試験（２）が後など）に基づいて試験制御部３２４により決定される順位が各試験項目に対応付けて登録されてよく、試験リスト３２４０における複数の試験項目は、実施すべき順序関係に従って上から並べられてよい。一例として図３の試験リスト３２４０では、複数の試験項目が、試験順序に従って複数の機器単体試験、データ収集試験、ＰＯＤ試験・入出力試験、付加装置試験、空調装置制御動作試験、および、総合試験に並べられてよい。また、複数の機器単体試験は、試験順序に従って受配電装置２０（３）についての機器単体試験（１）、ＵＰＳ装置２０（４）についての機器単体試験（２）、空調装置２０（２）についての機器単体試験（３）などの順に並べられてよい。
【００５１】
また、試験リスト３２４０は、複数の試験項目の少なくとも１つに対応付けて、当該試験項目を実施する前にマニュアルで行うべき操作を登録可能であってよい。本実施形態では一例として、受配電装置２０（３）の機器単体試験（１）に対しては、当該試験を実施する前にマニュアルで行うべき操作として、付加装置２０（８）以外の設備２００内の各機器２０と管理装置３とをネットワーク接続する操作が登録されてよい。また、ＰＯＤ試験・入力試験に対しては、当該試験を実施する前にマニュアルで行うべき操作として、作業員による開始操作が登録されてよい。
【００５２】
また、試験リスト３２４０は、複数の試験項目の少なくとも１つに対応付けて、当該試験項目をマニュアルで行う手順を登録可能であってよい。例えば、試験リスト３２４０には、マニュアル試験（一例としてＰＯＤ試験、空調装置制御動作試験など）に対応付けて、当該試験をマニュアルで行う手順が登録されてよい。
【００５３】
また、試験リスト３２４０は、各項目の試験結果についての判定基準を登録可能であってよい。例えば、試験リスト３２４０には、機器単体試験の結果の判定基準として、試験対象機器が正常であると判断し得る電力状態の値の上限および／または下限が登録されてよい。
【００５４】
また、試験リスト３２４０は、各項目の試験結果を記録可能であってよい。例えば、試験リスト３２４０は、各項目の試験結果として、試験により測定された電力状態の値を記録してもよいし、試験の判定結果を記録してもよい。試験の判定結果としては、試験が正常に終了したことを示す「正常終了」と、試験が未実施であることを示す「未実施」と、試験が異常終了したことを示す「異常終了」との何れかが記録されてよい。判定結果は後述の試験動作の開始時に全てクリアされてもよいし、「未実施」および「異常終了」の結果のみがクリアされてもよい。「正常終了」の試験結果は定期的に「未実施」に変更されてもよい。これにより、機器２０の試験を定期的に実施することが可能となる。試験結果には、最後に試験が行われた日時が含まれてもよい。
【００５５】
図４は、機器管理システム１の試験動作を示す。なお、この試験動作は、設備２００が新設されるとき、および／または、機器２０が交換、増設されるとき等に作業員の操作によって開始してよい。これに加えて／代えて、試験動作は、設備２００の定期メンテナンスを行うとき、電力制御部３２３により設備２００の電力異常が検知されたとき、および／または、電力制御部３２３により少なくとも一部の機器２０が停止していることが検知されたときに、自動で開始してもよい。
【００５６】
試験動作が開始すると、まず試験制御部３２４は、実施対象の試験項目として複数の試験項目のうち未実施の試験項目を選択する（ステップＳ１）。例えば、試験制御部３２４は、試験項目の順序関係に基づいて決定される試験の順序に従って実施対象の試験項目を選択してよい。本実施形態では一例として、試験制御部３２４は、試験リスト３２４０から試験順序が最先であり、試験が未実施であり、かつ、全ての前提試験項目が正常終了している試験項目を１つ選択してよい。例えば、試験動作の開始直後には機器単体試験（１）が選択されてよく、機器単体試験（１）が正常終了した直後には、機器単体試験（２）が選択されてよい。
【００５７】
次に、試験制御部３２４は、複数の機器２０のうち、選択した試験の対象となる少なくとも１つの機器２０を試験対象機器として選択する（ステップＳ２）。例えば、試験制御部３２４は、複数の機器２０のうち運転していない機器２０を試験対象機器として選択してよい。一例として、ＵＰＳ装置２０（４）を試験対象機器とする機器単体試験（２）が選択されている場合には、試験制御部３２４は、１または複数のＵＰＳ装置２０（４）のうち運転していない機器２０を試験対象機器として選択してよい。試験制御部３２４は、運転していない機器２０を電力監視部３２１による監視結果に基づいて検出してもよいし、機器２０の運転スケジュールに基づいて検出してもよい。また、試験制御部３２４は、何れの機器２０も運転していないとき（一例として設備２００全体に定期メンテナンスを行うとき、または設備２００を新設するとき等）には、何れの機器２０を試験対象機器として選択してもよい。これに加えて／代えて、試験制御部３２４は、ネットワーク１０に機器２０が新たに接続されたか否かを検出し、新たに機器２０が接続されたことに応じて、当該機器２０を試験対象機器として選択してもよい。例えば、試験制御部３２４は、管理装置３と通信を行うよう設定された機器２０が増設、交換などのためにネットワーク１０に新たに接続されたことに応じて、通信部３１を介して当該機器２０の機器コントローラ２２と通信を行い、接続の検出を行ってよい。
【００５８】
次に、試験制御部３２４は、選択された試験項目の試験を実施させる（ステップＳ３）。
【００５９】
例えば、試験制御部３２４は、複数の機器２０のうち試験対象機器の機器コントローラ２２に対し、試験の実施を指示する試験指令を送信してよい。試験対象機器の機器コントローラ２２は試験指令を受け取ったことに応じ、自機内の試験手順に従って自機の試験を実施する。なお、試験制御部３２４が試験対象機器の試験手順を管理する場合には、その機器コントローラ２２に試験手順を送信することで、試験対象機器内の試験手順を更新させてから試験を実施させてもよい。一例として、試験制御部３２４は、試験手順を示すプログラムを試験対象機器に送信してよい。試験制御部３２４は、試験条件（一例として各スイッチのオンオフの設定、空調装置２０（２）に対する設定温度など）を示すデータを試験対象機器に送信してもよい。
【００６０】
なお、試験制御部３２４は、選択された試験項目が半自動試験またはマニュアル試験であって、その試験項目に対し、実施前に行うべきマニュアル操作が試験リスト３２４０に登録されている場合には、そのマニュアル操作を表示制御部３２２から作業員に提示させ、マニュアル操作を作業員が行うことを条件として試験を開始させてよい。例えば、受配電装置２０（３）を試験対象機器とする機器単体試験（１）が選択されている場合には、試験制御部３２４は、実施前に行うべきマニュアル操作として、付加装置２０（８）以外の設備２００内の各機器２０と管理装置３とをネットワーク接続する操作を提示してよい。一例として、ＰＯＤ端末が動作している場合には、試験制御部３２４はマニュアル操作をＰＯＤ端末に提示してよい。
【００６１】
また、試験制御部３２４は、選択された試験項目がマニュアル試験であって、その試験項目をマニュアルで行う手順が試験リスト３２４０に登録されている場合には、その手順を表示制御部３２２から作業員に提示させてよい。この場合には、作業員が試験対象機器などに対してマニュアル操作を行うことで試験が実施されてよい。ＰＯＤ端末が動作している場合には、試験制御部３２４はマニュアル操作をＰＯＤ端末に提示してよい。また、試験の測定値、試験が正常終了したか否かなどの試験結果を作業員が試験対象機器またはＰＯＤ端末に入力してよい。
【００６２】
そして、試験制御部３２４は、試験指令に応じて機器コントローラ２２が実施した試験の試験結果を機器コントローラ２２から受信してよい。
【００６３】
次に、試験制御部３２４は、受信した試験結果に基づいて、試験が正常に終了したか否かを判定する（ステップＳ５）。例えば、試験制御部３２４は、選択した試験項目に試験リスト３２４０内で対応付けられた判定基準を読み出し、当該判定基準を試験結果が満たすか否かによって判定を行ってよい。
【００６４】
ステップＳ５において試験が正常に終了したと判定した場合（ステップＳ５；Ｙｅｓ）には、試験制御部３２４は、選択した試験項目が正常に終了したことを試験リスト３２４０に記録する（ステップＳ７）。これにより、試験対象機器の機器コントローラ２２から正常を示す試験結果を受け取ったことに応じて、選択した試験項目に対応付けて「正常終了」の試験結果が記録される。ステップＳ７の処理が終了したら、試験制御部３２４は、後述のステップＳ１９に処理を移行する。
【００６５】
上述のステップＳ５において試験が正常に終了しなかったと判定した場合（ステップＳ５；Ｎｏ）には、試験制御部３２４は、選択した試験項目が異常終了したことを試験リスト３２４０に記録する（ステップＳ１１）。
【００６６】
次に、試験制御部３２４は、選択した試験項目が正常終了したことを実施条件とする他の試験項目があるか否か、つまり、選択した試験項目を前提試験項目とする他の試験項目があるか否かを判定する（ステップＳ１３）。例えば、受配電装置２０（３）についての機器単体試験（１）が選択されて異常終了した場合には、試験制御部３２４は、選択した試験項目を前提試験項目とする他の試験項目があると判定してよい。また、付加装置試験が選択されて異常終了した場合には、試験制御部３２４は、選択した試験項目を前提試験項目とする他の試験項目が無いと判定してよい。
【００６７】
選択した試験項目を前提試験項目とする他の試験項目が無いと判定した場合（ステップＳ１３；Ｎｏ）には、試験制御部３２４は、未実施の他の試験を実施するか否かを判定する（ステップＳ１９）。一例として、試験制御部３２４は、試験リスト３２４０に未実施で、かつ全ての前提試験項目が正常終了している試験項目が残っている場合には、未実施の試験を実施すると判定してよい。また、試験制御部３２４は、未実施の試験が無い場合、および、未実施の各試験について少なくとも一部の前提試験項目が正常終了していない場合には、未実施の試験を実施しないと判定してよい。これにより、第１の試験項目の試験結果に応じて、第１の試験項目を前提試験項目とする第２の試験項目の試験を実施するか否かが判定される。また、複数の機器２０のうち第１の機器２０を試験する第１の試験項目の試験結果に応じて、第１の機器２０に依存して運転する第２の機器２０を試験する第２の試験項目について、試験を実施するか否かが判定される。
【００６８】
ステップＳ１９において未実施の他の試験を実施すると判定した場合（ステップＳ１９；Ｙｅｓ）には、試験制御部３２４は、上述のステップＳ１に処理を移行する。
【００６９】
また、ステップＳ１９において未実施の他の試験を実施しないと判定した場合（ステップＳ１９；Ｎｏ）には、試験制御部３２４は、試験リスト３２４０に登録された「異常終了」の試験結果を「未実施」に変更する（ステップＳ２１）。これにより、一の機器２０の異常が検出されたことに応じて、当該一の機器２０を試験する試験項目の少なくとも一部を再実施するように試験リスト３２４０が設定される。そして、ステップＳ２１の処理が終了したら、試験制御部３２４は試験動作を終了する。
【００７０】
また、ステップＳ１３において選択した試験項目を前提試験項目とする他の試験項目があると判定した場合（ステップＳ１３；Ｙｅｓ）には、試験制御部３２４は、選択試験よりも下位の試験を続行することが可能であるか否かを判定する（ステップＳ１５）。例えば、試験制御部３２４は、試験リスト３２４０に残っている未実施の試験項目に、前提試験項目が異常終了していない試験項目がある場合には、下位の試験を続行可能であると判定してよい。一例として、受配電装置２０（３）についての機器単体試験（１）が正常終了した後、ＵＰＳ装置２０（４）についての機器単体試験（２）が選択されて異常終了した場合には、少なくとも空調装置２０（２）の機器単体試験（３）については前提試験項目（ここでは機器単体試験（１））が異常終了していないため、試験制御部３２４は、下位の試験を続行可能と判定してよい。また、ＰＯＤ試験・入出力試験が選択されて異常終了した場合には、少なくとも空調装置制御動作試験については前提試験項目（ここではデータ収集試験）が異常終了していないため、試験制御部３２４は、下位の試験を続行可能と判定してよい。
【００７１】
ステップＳ１５において下位の試験を続行することが不可能であると判定した場合（ステップＳ１５；Ｎｏ）には、試験制御部３２４は、上述のステップＳ２１に移行した後、試験動作を終了する。
【００７２】
また、ステップＳ１５において下位の試験を続行することが可能であると判定した場合（ステップＳ１５；Ｙｅｓ）には、試験制御部３２４は、下位の試験の順序を変更して試験リスト３２４０を更新してよい（ステップＳ１７）。例えば、試験制御部３２４は、試験リスト３２４０に残っている未実施の試験項目の中で、前提試験項目が異常終了していない試験項目の試験順序を他の試験項目よりも繰り上げるように試験順序を変更してよい。一例として、ＰＯＤ試験・入出力試験が選択されて異常終了した場合には、試験制御部３２４は、未実施の試験項目（付加装置試験、空調装置制御動作試験、総合試験など）の中で前提試験項目が異常終了していない空調装置制御動作試験の試験順序を他の試験項目よりも繰り上げるように試験順序を変更してよい。これにより、試験が正常に終了したか否かのステップＳ５での判定結果に基づいて試験の実施順序が変更される。なお、試験リスト３２４０に残っている未実施の試験項目の中で、前提試験項目が異常終了していない試験項目が他の試験項目よりも上位である場合には、試験制御部３２４は試験順序の変更を行わなくてもよい。一例として、ＵＰＳ装置２０（４）についての機器単体試験（２）が選択されて異常終了した場合には、未実施の試験項目の中で前提試験項目が異常終了していない空調装置２０（２）の機器単体試験（３）が最上位であるため、少なくともこの試験項目については試験順序の変更を行わなくてよい。そして、ステップＳ１７の処理が終了したら、試験制御部３２４は、上述のステップＳ１９に処理を移行する。
【００７３】
以上の試験動作によれば、管理装置３により複数の機器２０の運転状況が管理され、運転していない機器２０が動作試験の試験対象機器として選択されるので、試験を行うことによる他の機器２０への影響を無くすことができる。また、設備２００の全体としてのパフォーマンスを低下させることなく試験を行うことができる。
【００７４】
また、ネットワーク１０に新たに機器２０が接続されたことに応じて、当該機器２０が試験対象機器として選択されるので、機器２０の接続により自動的に当該機器２０の試験が行われる。従って、機器２０の設置から運転開始までの時間を短縮することができる。
【００７５】
また、試験制御部３２４により複数の試験項目のうち未実施の試験項目が選択され、選択した試験項目による試験対象の少なくとも１つの機器２０が試験対象機器として選択されるので、実施済みの試験が重複して実施されるのを防止し、試験時間を短縮することができる。
【００７６】
また、試験制御部３２４から試験指令が送信されることに応じて機器コントローラ２２が自機内の試験手順に従って自機の試験を行うので、試験手順の送信に要する時間を省き、試験時間を短縮することができる。
【００７７】
また、第１の試験項目の試験結果に応じて、第１の試験項目を前提試験項目（先に正常終了すべき他の試験項目）とする第２の試験項目の試験を実施するか否かが判定されるので、先に正常終了すべき第１の試験項目が異常終了している場合に第２の試験項目を無駄に実施してしまうのを防止すると共に、第１の試験項目が正常終了している場合に第２の試験項目を自動的に実施することができる。従って、試験時間を短縮することができる。また、第１の機器２０についての第１の試験項目の試験結果に応じて、第１の機器２０に依存して運転する第２の機器２０についての第２の試験項目を実施するか否かが判定されるので、より確実に試験時間を短縮することができる。
【００７８】
また、試験結果に基づいて試験項目の実施順序が変更されるので、一の試験項目について試験が異常終了した場合であっても、実施順序の変更により他の試験項目の試験を続行することができる。従って、試験の中断による時間のロスを低減し、試験時間を短縮することができる。
【００７９】
また、一の機器２０の異常が検出されたことに応じて、当該一の機器２０を試験する試験項目の少なくとも一部を再実施するように試験リスト３２４０が設定されるので、異常な機器２０に対して速やかに再試験を実施することができる。
【００８０】
なお、上記の実施形態では、試験制御部３２４は試験項目の順序関係に基づいて決定される試験の順序に従って実施対象の試験項目を選択することとして説明したが、これに加えて／代えて、複数の試験項目のうち未実施の試験項目を、当該試験項目において試験対象となる全ての機器２０がネットワークに接続されていることを必要条件として選択してもよい。この場合には、ネットワーク接続されていない機器２０を対象として無駄に試験を実施してしまうのを防止することができる。
【００８１】
また、機器群２の各機器２０が同一のネットワーク１０を介して管理装置３と通信することとして説明したが、少なくとも一部の機器２０が他のネットワークを介して管理装置３と通信してもよい。
【００８２】
また、本発明の様々な実施形態は、フローチャートおよびブロック図を参照して記載されてよく、ここにおいてブロックは、（１）操作が実行されるプロセスの段階または（２）操作を実行する役割を持つ装置のセクションを表わしてよい。特定の段階およびセクションが、専用回路、コンピュータ可読媒体上に格納されるコンピュータ可読命令と共に供給されるプログラマブル回路、および／またはコンピュータ可読媒体上に格納されるコンピュータ可読命令と共に供給されるプロセッサによって実装されてよい。専用回路は、デジタルおよび／またはアナログハードウェア回路を含んでよく、集積回路（ＩＣ）および／またはディスクリート回路を含んでよい。プログラマブル回路は、論理ＡＮＤ、論理ＯＲ、論理ＸＯＲ、論理ＮＡＮＤ、論理ＮＯＲ、および他の論理操作、フリップフロップ、レジスタ、フィールドプログラマブルゲートアレイ（ＦＰＧＡ）、プログラマブルロジックアレイ（ＰＬＡ）等のようなメモリ要素等を含む、再構成可能なハードウェア回路を含んでよい。
【００８３】
コンピュータ可読媒体は、適切なデバイスによって実行される命令を格納可能な任意の有形なデバイスを含んでよく、その結果、そこに格納される命令を有するコンピュータ可読媒体は、フローチャートまたはブロック図で指定された操作を実行するための手段を作成すべく実行され得る命令を含む、製品を備えることになる。コンピュータ可読媒体の例としては、電子記憶媒体、磁気記憶媒体、光記憶媒体、電磁記憶媒体、半導体記憶媒体等が含まれてよい。コンピュータ可読媒体のより具体的な例としては、フロッピー（登録商標）ディスク、ディスケット、ハードディスク、ランダムアクセスメモリ（ＲＡＭ）、リードオンリメモリ（ＲＯＭ）、消去可能プログラマブルリードオンリメモリ（ＥＰＲＯＭまたはフラッシュメモリ）、電気的消去可能プログラマブルリードオンリメモリ（ＥＥＰＲＯＭ）、静的ランダムアクセスメモリ（ＳＲＡＭ）、コンパクトディスクリードオンリメモリ（ＣＤ-ＲＯＭ）、デジタル多用途ディスク（ＤＶＤ）、ブルーレイ（ＲＴＭ）ディスク、メモリスティック、集積回路カード等が含まれてよい。
【００８４】
コンピュータ可読命令は、アセンブラ命令、命令セットアーキテクチャ（ＩＳＡ）命令、マシン命令、マシン依存命令、マイクロコード、ファームウェア命令、状態設定データ、またはＳｍａｌｌｔａｌｋ、ＪＡＶＡ（登録商標）、Ｃ＋＋等のようなオブジェクト指向プログラミング言語、および「Ｃ」プログラミング言語または同様のプログラミング言語のような従来の手続型プログラミング言語を含む、１または複数のプログラミング言語の任意の組み合わせで記述されたソースコードまたはオブジェクトコードのいずれかを含んでよい。
【００８５】
コンピュータ可読命令は、汎用コンピュータ、特殊目的のコンピュータ、若しくは他のプログラム可能なデータ処理装置のプロセッサまたはプログラマブル回路に対し、ローカルにまたはローカルエリアネットワーク（ＬＡＮ）、インターネット等のようなワイドエリアネットワーク（ＷＡＮ）を介して提供され、フローチャートまたはブロック図で指定された操作を実行するための手段を作成すべく、コンピュータ可読命令を実行してよい。プロセッサの例としては、コンピュータプロセッサ、処理ユニット、マイクロプロセッサ、デジタル信号プロセッサ、コントローラ、マイクロコントローラ等を含む。
【００８６】
図５は、本発明の複数の態様が全体的または部分的に具現化されてよいコンピュータ２２００の例を示す。コンピュータ２２００にインストールされたプログラムは、コンピュータ２２００に、本発明の実施形態に係る装置に関連付けられる操作または当該装置の１または複数のセクションとして機能させることができ、または当該操作または当該１または複数のセクションを実行させることができ、および／またはコンピュータ２２００に、本発明の実施形態に係るプロセスまたは当該プロセスの段階を実行させることができる。そのようなプログラムは、コンピュータ２２００に、本明細書に記載のフローチャートおよびブロック図のブロックのうちのいくつかまたはすべてに関連付けられた特定の操作を実行させるべく、ＣＰＵ２２１２によって実行されてよい。
【００８７】
本実施形態によるコンピュータ２２００は、ＣＰＵ２２１２、ＲＡＭ２２１４、グラフィックコントローラ２２１６、およびディスプレイデバイス２２１８を含み、それらはホストコントローラ２２１０によって相互に接続されている。コンピュータ２２００はまた、通信インタフェース２２２２、ハードディスクドライブ２２２４、ＤＶＤ−ＲＯＭドライブ２２２６、およびＩＣカードドライブのような入／出力ユニットを含み、それらは入／出力コントローラ２２２０を介してホストコントローラ２２１０に接続されている。コンピュータはまた、ＲＯＭ２２３０およびキーボード２２４２のようなレガシの入／出力ユニットを含み、それらは入／出力チップ２２４０を介して入／出力コントローラ２２２０に接続されている。
【００８８】
ＣＰＵ２２１２は、ＲＯＭ２２３０およびＲＡＭ２２１４内に格納されたプログラムに従い動作し、それにより各ユニットを制御する。グラフィックコントローラ２２１６は、ＲＡＭ２２１４内に提供されるフレームバッファ等またはそれ自体の中にＣＰＵ２２１２によって生成されたイメージデータを取得し、イメージデータがディスプレイデバイス２２１８上に表示されるようにする。
【００８９】
通信インタフェース２２２２は、ネットワークを介して他の電子デバイスと通信する。ハードディスクドライブ２２２４は、コンピュータ２２００内のＣＰＵ２２１２によって使用されるプログラムおよびデータを格納する。ＤＶＤ−ＲＯＭドライブ２２２６は、プログラムまたはデータをＤＶＤ−ＲＯＭ２２０１から読み取り、ハードディスクドライブ２２２４にＲＡＭ２２１４を介してプログラムまたはデータを提供する。ＩＣカードドライブは、プログラムおよびデータをＩＣカードから読み取り、および／またはプログラムおよびデータをＩＣカードに書き込む。
【００９０】
ＲＯＭ２２３０はその中に、アクティブ化時にコンピュータ２２００によって実行されるブートプログラム等、および／またはコンピュータ２２００のハードウェアに依存するプログラムを格納する。入／出力チップ２２４０はまた、様々な入／出力ユニットをパラレルポート、シリアルポート、キーボードポート、マウスポート等を介して、入／出力コントローラ２２２０に接続してよい。
【００９１】
プログラムが、ＤＶＤ−ＲＯＭ２２０１またはＩＣカードのようなコンピュータ可読媒体によって提供される。プログラムは、コンピュータ可読媒体から読み取られ、コンピュータ可読媒体の例でもあるハードディスクドライブ２２２４、ＲＡＭ２２１４、またはＲＯＭ２２３０にインストールされ、ＣＰＵ２２１２によって実行される。これらのプログラム内に記述される情報処理は、コンピュータ２２００に読み取られ、プログラムと、上記様々なタイプのハードウェアリソースとの間の連携をもたらす。装置または方法が、コンピュータ２２００の使用に従い情報の操作または処理を実現することによって構成されてよい。
【００９２】
例えば、通信がコンピュータ２２００および外部デバイス間で実行される場合、ＣＰＵ２２１２は、ＲＡＭ２２１４にロードされた通信プログラムを実行し、通信プログラムに記述された処理に基づいて、通信インタフェース２２２２に対し、通信処理を命令してよい。通信インタフェース２２２２は、ＣＰＵ２２１２の制御下、ＲＡＭ２２１４、ハードディスクドライブ２２２４、ＤＶＤ−ＲＯＭ２２０１、またはＩＣカードのような記録媒体内に提供される送信バッファ処理領域に格納された送信データを読み取り、読み取られた送信データをネットワークに送信し、またはネットワークから受信された受信データを記録媒体上に提供される受信バッファ処理領域等に書き込む。
【００９３】
また、ＣＰＵ２２１２は、ハードディスクドライブ２２２４、ＤＶＤ−ＲＯＭドライブ２２２６（ＤＶＤ−ＲＯＭ２２０１）、ＩＣカード等のような外部記録媒体に格納されたファイルまたはデータベースの全部または必要な部分がＲＡＭ２２１４に読み取られるようにし、ＲＡＭ２２１４上のデータに対し様々なタイプの処理を実行してよい。ＣＰＵ２２１２は次に、処理されたデータを外部記録媒体にライトバックする。
【００９４】
様々なタイプのプログラム、データ、テーブル、およびデータベースのような様々なタイプの情報が記録媒体に格納され、情報処理を受けてよい。ＣＰＵ２２１２は、ＲＡＭ２２１４から読み取られたデータに対し、本開示の随所に記載され、プログラムの命令シーケンスによって指定される様々なタイプの操作、情報処理、条件判断、条件分岐、無条件分岐、情報の検索／置換等を含む、様々なタイプの処理を実行してよく、結果をＲＡＭ２２１４に対しライトバックする。また、ＣＰＵ２２１２は、記録媒体内のファイル、データベース等における情報を検索してよい。例えば、各々が第２の属性の属性値に関連付けられた第１の属性の属性値を有する複数のエントリが記録媒体内に格納される場合、ＣＰＵ２２１２は、第１の属性の属性値が指定される、条件に一致するエントリを当該複数のエントリの中から検索し、当該エントリ内に格納された第２の属性の属性値を読み取り、それにより予め定められた条件を満たす第１の属性に関連付けられた第２の属性の属性値を取得してよい。
【００９５】
上で説明したプログラムまたはソフトウェアモジュールは、コンピュータ２２００上またはコンピュータ２２００近傍のコンピュータ可読媒体に格納されてよい。また、専用通信ネットワークまたはインターネットに接続されたサーバーシステム内に提供されるハードディスクまたはＲＡＭのような記録媒体が、コンピュータ可読媒体として使用可能であり、それによりプログラムを、ネットワークを介してコンピュータ２２００に提供する。
【００９６】
以上、本発明を実施の形態を用いて説明したが、本発明の技術的範囲は上記実施の形態に記載の範囲には限定されない。上記実施の形態に、多様な変更または改良を加えることが可能であることが当業者に明らかである。その様な変更または改良を加えた形態も本発明の技術的範囲に含まれ得ることが、特許請求の範囲の記載から明らかである。
【００９７】
特許請求の範囲、明細書、および図面中において示した装置、システム、プログラム、および方法における動作、手順、ステップ、および段階等の各処理の実行順序は、特段「より前に」、「先立って」等と明示しておらず、また、前の処理の出力を後の処理で用いるのでない限り、任意の順序で実現しうることに留意すべきである。特許請求の範囲、明細書、および図面中の動作フローに関して、便宜上「まず、」、「次に、」等を用いて説明したとしても、この順で実施することが必須であることを意味するものではない。
【符号の説明】
【００９８】
１  機器管理システム、２  機器群、３  管理装置、１０  ネットワーク、２０  機器、２１  電力状態センサ、２２  機器コントローラ、３１  通信部、３２  制御部、２００  設備、２０３  ＤＣ／ＤＣコンバータ、３２１  電力監視部、３２２  表示制御部、３２３  電力制御部、３２４  試験制御部、２０００  商用電源、３２４０  試験リスト、２２００  コンピュータ、２２０１  ＤＶＤ−ＲＯＭ、２２１０  ホストコントローラ、２２１２  ＣＰＵ、２２１４  ＲＡＭ、２２１６  グラフィックコントローラ、２２１８  ディスプレイデバイス、２２２０  入／出力コントローラ、２２２２  通信インタフェース、２２２４  ハードディスクドライブ、２２２６  ＤＶＤ−ＲＯＭドライブ、２２３０  ＲＯＭ、２２４０  入／出力チップ、２２４２  キーボード
【図１】
2018106610.tif 000003
【図２】
2018106610.tif 000004
【図３】
2018106610.tif 000005
【図４】
2018106610.tif 000006
【図５】
2018106610.tif 000007
【手続補正書】
【提出日】平成29年5月31日(2017.5.31)
【手続補正１】
【補正対象書類名】特許請求の範囲
【補正対象項目名】全文
【補正方法】変更
【補正の内容】
【特許請求の範囲】
【請求項１】
各々が機器コントローラを有し、前記機器コントローラによって運転される複数の機器と、
ネットワークを介して前記複数の機器に接続され、前記複数の機器の運転を管理する管理装置と
を備え、
前記管理装置は、
前記複数の機器のうち試験対象機器の前記機器コントローラに試験指令を送信し、前記試験指令に応じて前記機器コントローラが実施した試験の試験結果を前記機器コントローラから受信し、
前記複数の機器を有する設備で実施すべき複数の試験項目を含み、前記複数の試験項目の少なくとも１つに対応付けて、先に正常終了すべき他の試験項目を登録可能な試験リストを管理し、
前記複数の試験項目のうち未実施の試験項目を選択し、
第１の前記試験項目の前記試験結果に応じて、前記第１の試験項目を先に正常終了すべき旨が登録された第２の前記試験項目の試験を実施するか否かを判定する
機器管理システム。
【請求項２】
前記管理装置は、前記複数の機器のうち第１の機器を試験する前記第１の試験項目の前記試験結果に応じて、前記第１の機器に依存して運転する第２の機器を試験する前記第２の試験項目の試験を実施するか否かを決定する請求項１に記載の機器管理システム。
【請求項３】
前記試験リストは、前記複数の試験項目を実施すべき順序関係を登録可能であり、
前記管理装置は、前記順序関係に基づいて前記複数の試験項目の実施順序を決定する
請求項１または２に記載の機器管理システム。
【請求項４】
前記管理装置は、前記試験結果に基づいて、前記複数の試験項目の実施順序を変更する請求項３に記載の機器管理システム。
【請求項５】
各々が機器コントローラを有し、前記機器コントローラによって運転される複数の機器と、
ネットワークを介して前記複数の機器に接続され、前記複数の機器の運転を管理する管理装置と
を備え、
前記管理装置は、
前記複数の機器のうち試験対象機器の前記機器コントローラに試験指令を送信し、前記試験指令に応じて前記機器コントローラが実施した試験の試験結果を前記機器コントローラから受信し、
前記複数の機器を有する設備で実施すべき複数の試験項目を含み、前記複数の試験項目を実施すべき順序関係を登録可能な試験リストを管理し、
前記順序関係に基づいて前記複数の試験項目の実施順序を決定し、
前記複数の試験項目のうち未実施の試験項目を選択し、
前記試験結果に基づいて前記複数の試験項目の実施順序を変更する
機器管理システム。
【請求項６】
前記管理装置は、前記複数の試験項目のうち未実施の試験項目を、当該試験項目において試験対象となる全ての機器が前記ネットワークに接続されていることを必要条件として選択する請求項１から５のいずれか一項に記載の機器管理システム。
【請求項７】
前記管理装置は、一の機器の異常を検出したことに応じて、前記複数の試験項目のうち当該一の機器を試験する試験項目の少なくとも一部を再実施するように前記試験リストを設定する請求項１から６のいずれか一項に記載の機器管理システム。
【請求項８】
各々が機器コントローラを有し、前記機器コントローラによって運転される複数の機器と、
ネットワークを介して前記複数の機器に接続され、前記複数の機器の運転を管理する管理装置と
を備え、
前記管理装置は、
前記複数の機器のうち試験対象機器の前記機器コントローラに試験指令を送信し、前記試験指令に応じて前記機器コントローラが実施した試験の試験結果を前記機器コントローラから受信し、
前記複数の機器を有する設備で実施すべき複数の試験項目を含む試験リストを管理し、
前記複数の試験項目のうち未実施の試験項目を選択し、
一の機器の異常を検出したことに応じて、前記複数の試験項目のうち当該一の機器を試験する試験項目の少なくとも一部を再実施するように前記試験リストを設定する
機器管理システム。
【請求項９】
前記試験リストは、前記複数の試験項目の少なくとも１つに対応付けて、当該試験項目を実施する前にマニュアルで行うべき操作を登録可能であり、
前記管理装置は、第３の前記試験項目の試験を実施する場合に、前記第３の試験項目に対応付けて登録された、マニュアルで行うべき操作を提示する
請求項１から８のいずれか一項に記載の機器管理システム。
【請求項１０】
各々が機器コントローラを有し、前記機器コントローラによって運転される複数の機器と、
ネットワークを介して前記複数の機器に接続され、前記複数の機器の運転を管理する管理装置と
を備え、
前記管理装置は、
前記複数の機器のうち試験対象機器の前記機器コントローラに試験指令を送信し、前記試験指令に応じて前記機器コントローラが実施した試験の試験結果を前記機器コントローラから受信し、
前記複数の機器を有する設備で実施すべき複数の試験項目を含み、前記複数の試験項目の少なくとも１つに対応付けて、当該試験項目を実施する前にマニュアルで行うべき操作を登録可能な試験リストを管理し、
前記複数の試験項目のうち未実施の試験項目を選択し、
第３の前記試験項目の試験を実施する場合に、前記第３の試験項目に対応付けて登録された、マニュアルで行うべき操作を提示する
機器管理システム。
【請求項１１】
前記試験リストは、前記複数の試験項目の少なくとも１つに対応付けて、当該試験項目をマニュアルで行う手順を登録可能であり、
前記管理装置は、第４の前記試験項目の試験を実施する場合に、前記第４の試験項目に対応付けて登録された、マニュアルで行う手順を提示する
請求項１から１０のいずれか一項に記載の機器管理システム。
【請求項１２】
各々が機器コントローラを有し、前記機器コントローラによって運転される複数の機器と、
ネットワークを介して前記複数の機器に接続され、前記複数の機器の運転を管理する管理装置と
を備え、
前記管理装置は、
前記複数の機器のうち試験対象機器の前記機器コントローラに試験指令を送信し、前記試験指令に応じて前記機器コントローラが実施した試験の試験結果を前記機器コントローラから受信し、
前記複数の機器を有する設備で実施すべき複数の試験項目を含み、前記複数の試験項目の少なくとも１つに対応付けて、当該試験項目をマニュアルで行う手順を登録可能な試験リストを管理し、
前記複数の試験項目のうち未実施の試験項目を選択し、
第４の前記試験項目の試験を実施する場合に、前記第４の試験項目に対応付けて登録された、マニュアルで行う手順を提示する
機器管理システム。
【請求項１３】
前記管理装置は、前記第４の試験項目の試験が正常終了したか否かのマニュアル入力を受け取って、前記第４の試験項目に対応付けて試験結果を記録する請求項１１または１２に記載の機器管理システム。
【請求項１４】
前記管理装置は、
前記複数の機器の運転状況を管理し、
前記複数の機器のうち運転していない機器を前記試験対象機器として選択する
請求項１から１３のいずれか一項に記載の機器管理システム。
【請求項１５】
前記管理装置は、
前記ネットワークに機器が新たに接続されたか否かを検出し、
新たに機器が接続されたことに応じて、当該機器を前記試験対象機器として選択する
請求項１４に記載の機器管理システム。
【請求項１６】
前記複数の機器のうちの少なくとも１つは、通常運転モードおよび試験モードを有し、
前記管理装置は、前記試験モードを有する前記試験対象機器に対して、前記試験モードへの遷移指令を含む前記試験指令を送信して前記試験モードへ遷移させる
請求項１から１５のいずれか一項に記載の機器管理システム。
【請求項１７】
前記機器コントローラは、試験を実施する試験手順を記憶し、
前記試験指令を受け取ったことに応じて、前記試験手順に従って前記試験対象機器の試験を実施する
請求項１から１６のいずれか一項に記載の機器管理システム。
【請求項１８】
前記管理装置は、
前記複数の機器のうち少なくとも１つの機器に対する前記試験手順を管理し、
当該少なくとも１つの機器の前記機器コントローラに前記試験手順を送信する
請求項１７に記載の機器管理システム。
【請求項１９】
前記管理装置は、前記試験対象機器の前記機器コントローラから正常を示す前記試験結果を受け取ったことに応じて、選択した前記試験項目に対応付けて試験が正常終了したことを記録する請求項１から１８のいずれか一項に記載の機器管理システム。
【請求項２０】
請求項１から１９のいずれか一項に記載の機器管理システムに用いられる管理装置。
【請求項２１】
各々が機器コントローラを有し、前記機器コントローラによって運転される複数の機器の運転を管理する管理装置のコンピュータを、
請求項２０に記載の管理装置として機能させるプログラム。